(57)【特許請求の範囲】
【請求項１】
棒状の持ち手と平面形状が楕円形状のカバー部材とカバー部材の裏面に取り付けられる半楕円形状の固定保持板と該固定保持板に対して回動可能な半楕円形状の回動保持板とを有するモップにおいて、上部に透孔と下部に一対の水平ピンとを有し、且つ、透孔の中心線と水平ピンの軸線とが、互いに、直交するように構成されているとともに、水平ピンの軸線が、カバー部材の長径と平行となるように構成されている中間ブロックが配設されており、また、カバー部材の中央部に穿設された透孔に挿入された中間ブロックの上部を、棒状の持ち手の二股部の間隙に挿入するとともに、棒状の持ち手の二股部に穿設された透孔及び中間ブロックの上部に穿設された透孔に、ピンとして構成された連結部材を挿入することにより、棒状の持ち手と中間ブロックとが連結されており、更に、中間ブロックの一方の水平ピンに挿入されたコイルスプリングと中間ブロックのもう一方の水平ピンに挿入されたコイルスプリングとを、その付勢力の方向が、互いに反対となるように配設することにより、カバー部材の短径が、棒状の持ち手に対して垂直な待機状態を維持するように構成されており、更にまた、カバー部材の中央部に穿設された透孔に挿入された中間ブロックの上部を、棒状の持ち手の二股部の間隙に挿入するとともに、棒状の持ち手の二股部に穿設された透孔及び中間ブロックの上部に穿設された透孔に、ピンとして構成された連結部材を挿入することにより、棒状の持ち手が、その自重により、カバー部材の長径方向に倒れるように構成されていることを特徴とするモップ。
【発明の詳細な説明】
【０００１】
【発明の属する技術分野】
本発明は、床や畳等の種々の掃除に使用されるモップに関するものである。
【０００２】
【従来の技術】
従来，図１０及び図１１に示されているような、平面形状が楕円状の基布１の両端部分に、平面形状が半楕円状の上部布２を、それぞれ、直線部分２ａ以外の曲線状の周縁部２ｂを縫着することにより取り付けて、相対する直線部分が開口した袋部３を形成するとともに、基布１の外周に紐４を密集状態に取り付けて形成された雑巾Ｗの上記の２つの袋部３に、平面形状が基布１と同様で、上部に棒状の持ち手５が取着された楕円形状のカバー６の下部に取り付けられた半楕円形状の固定保持板と、同じく半楕円形状の回動保持板とを挿入して構成されたモップが知られている（例えば、実開平６−４８５６２号公報）。
【０００３】
上述した従来のモップにおいては、図１１に示されているように、棒状の持ち手５の下端には、楕円形状のカバー６の短径に平行な支軸７により、連結杆８の上端が枢着されており、また、連結杆８の下端には、楕円形状のカバー６の長径に平行な一対の支軸８ａが形成されており、該支軸８ａは、楕円形状のカバー６の凹部６ａを形成する垂直壁６ａ’に穿設された透孔６ａ”に挿着されている。そして、連結杆８を介して、棒状の持ち手５に配設された楕円形状のカバー６に被せられた雑巾Ｗは、支軸７を中心に、雑巾Ｗ或いは楕円形状のカバー６の長径方向に揺動自在に構成されているとともに、支軸８ａを中心に、雑巾Ｗ或いは楕円形状のカバー６の短径方向に揺動自在に構成されている。このように、従来のモップにおいては、雑巾Ｗが被せられた楕円形状のカバー６は、連結杆８を介して、棒状の持ち手５に、雑巾Ｗ或いは楕円形状のカバー６の長径方向及び短径方向に、揺動自在に、即ち、ふらふらした状態で、取り付けられている。
【０００４】
【発明が解決しようとする課題】
従来、上述したモップは、一般には、掃除をしようとする床面等に、雑巾Ｗを擦り付けるように前後に移動させて掃除を行うが、モップを、箒のように使用して、床面等を掃除する場合がある。このような場合に、従来のように、雑巾Ｗが被せられた楕円形状のカバー６が、連結杆８を介して、棒状の持ち手５に、雑巾Ｗ或いは楕円形状のカバー６の長径方向及び短径方向に、揺動自在に、即ち、ふらふらした状態に取り付けられていると、畳や床上のゴミをうまく掃くことができないという問題があった。
【０００５】
本発明の目的は、上述した従来のモップが有する課題を解決するとともに、掃除がし易いモップを提供することにある。
【０００６】
【課題を解決するための手段】
本発明は、上述した目的を達成するために、棒状の持ち手と平面形状が楕円形状のカバー部材とカバー部材の裏面に取り付けられる半楕円形状の固定保持板と該固定保持板に対して回動可能な半楕円形状の回動保持板とを有するモップにおいて、上部に透孔と下部に一対の水平ピンとを有し、且つ、透孔の中心線と水平ピンの軸線とが、互いに、直交するように構成されているとともに、水平ピンの軸線が、カバー部材の長径と平行となるように構成されている中間ブロックが配設されており、また、カバー部材の中央部に穿設された透孔に挿入された中間ブロックの上部を、棒状の持ち手の二股部の間隙に挿入するとともに、棒状の持ち手の二股部に穿設された透孔及び中間ブロックの上部に穿設された透孔に、ピンとして構成された連結部材を挿入することにより、棒状の持ち手と中間ブロックとが連結されており、更に、中間ブロックの一方の水平ピンに挿入されたコイルスプリングと中間ブロックのもう一方の水平ピンに挿入されたコイルスプリングとを、その付勢力の方向が、互いに反対となるように配設することにより、カバー部材の短径が、棒状の持ち手に対して垂直な待機状態を維持するように構成されており、更にまた、カバー部材の中央部に穿設された透孔に挿入された中間ブロックの上部を、棒状の持ち手の二股部の間隙に挿入するとともに、棒状の持ち手の二股部に穿設された透孔及び中間ブロックの上部に穿設された透孔に、ピンとして構成された連結部材を挿入することにより、棒状の持ち手が、その自重により、カバー部材の長径方向に倒れるように構成したものである。
【０００７】
【実施例】
以下に、本発明の実施例について説明するが、本発明の趣旨を越えない限り何ら、本実施例に限定されるものではない。なお、本発明のモップにおいて使用される雑巾Ｗに関しては、図１０に示されているものと同じであるので、その説明は省略する。
【０００８】
１０は、平面形状が楕円形状で、山形に湾曲した形状を有するカバー部材である。カバー部材１０の中央部には、楕円形状のカバー部材１０の長径１０ａに対して直交する凹部１０ｂが形成されており、凹部１０ｂを形成する底部１０ｃには方形状の透孔１０ｄが穿設されている。凹部１０ｂを形成する相対する垂直壁１０ｅの下端部には、それぞれ、凹部１０ｆが形成されており、凹部１０ｆには、棒状の持ち手１１をカバー部材１０に連結する中間ブロック１２の下部に形成された水平ピン１２ａが挿入される。なお、中間ブロック１２の詳細は、後述する。カバー部材１０の裏側から、カバー部材１０の透孔１０ｄに、中間ブロック１２を挿入し、中間ブロック１２の上部を、持ち手１１の二股部１１ａの間隙に挿入する。そして、二股部１１ａに穿設された透孔１１ｂ及び中間ブロック１２の上部に穿設された透孔１２ｂは、連結部材１１ｃを構成する鍔付き雌ピン１１ｄを挿入するとともに、鍔付き雌ピン１１ｄの筒部１１ｄ’の孔に、連結部材１１ｃを構成する鍔付き雄ピン１１ｅの二股脚１１ｅ’を挿入する。鍔付き雄ピン１１ｅの二股脚１１ｅ’に形成された係合突起１１ｅ”を、鍔付き雌ピン１１ｄの筒部１１ｄ’に穿設された透孔１１ｄ”に係合させることにより、連結部材１１ｃを構成する鍔付き雄ピン１１ｅと鍔付き雌ピン１１ｄとにより、棒状の持ち手１１に、中間ブロック１２が、連結部材１１ｃを中心に回動自在に枢着される。
【０００９】
なお、中間ブロック１２の上部に穿設された透孔１２ｂの内周面１２ｂ’を、円周方向に凹凸が連続した波状に形成することにより、連結部材１１ｃを構成する鍔付き雌ピン１１ｄの外周面と中間ブロック１２の上部に穿設された透孔１２ｂの内周面１２ｂ’との接触面積を減少させて、棒状の持ち手１１が、中間ブロック１２に対して、スムースに回動するように構成されている。カバー部材１０の裏面には、後述する固定保持板を、カバー部材１０に取着されための内周にネジ溝が刻設された円筒状のネジ受け１０ｇが、適当数、垂設されている。
【００１０】
１３は、平面形状が、上述した楕円形状のカバー部材１０の略半分の半楕円形状に形成された固定保持板である。１４は、同じく、平面形状が、上述した楕円形状のカバー部材１０の略半分の半楕円形状に形成された回動保持板であり、回動保持板１４の直線側には切り欠き部１４ａが形成されており、切り欠き部１４ａは、回動保持板１４の両端部から平行に延設された一対の棒状体１４ｂと、回動保持板１４の板状部１４ｃの棒状体１４ｂに垂直な縁部１４ｄとにより形成されている。また、一対の棒状体１４ｂの先端部には、棒状体１４ｂに対して垂直で、且つ、相対する方向に延びる係合ピン１４ｅが、それぞれ延設されている。更に、縁部１４ｄの中程には、板状部１４ｃと面一に延びる板状の張出部１４ｆが突設されており、張出部１４ｆの上面には、上端部に傘状の膨出部１４ｇ’が形成された茸状の雄型係合部材１４ｇが立設されている。一方、上述した固定保持板１３には、回動保持板１４の係合ピン１４ｅが挿入可能な凹部１３ａが形成されているとともに、回動保持板１４の張出部１４ｆが挿入可能な切り欠き部１３ｂが形成されている。カバー部材１０の裏面には、円筒体１０ｈが垂設されており、円筒体１０ｈの中央部に相当するカバー部材１０には、透孔１０ｉが穿設されており、円筒体１０ｈの上端部には、内側に突出した突起１０ｈ’が形成されている。
【００１１】
１５は、一体成形された雌型係合部材であり、雌型係合部材１５は、下部に鍔１５ａ’を有する円柱部１５ａ、該円柱部１５ａの下面から八の字状に延びる弾性板材１５ｂ及び弾性板材１５ｂの内側面の中程から相対する方向に略水平に延在する係合突起１５ｃとを有している。雌型係合部材１５の円柱部１５ａは、上述したカバー部材１０に形成された円筒体１０ｈに挿入されるように構成されており、また、雌型係合部材１５は、円柱部１５ａの鍔１５ａ’が、円筒体１０ｈの上端部に形成された突起１０ｈ’に当接することにより、雌型係合部材１５が、円筒体１０ｈに対して、上方から抜け出ないように構成されている。
【００１２】
次に、上述した中間ブロック１２及び中間ブロック１２に取り付けられる支持台座部材１６について説明する。
【００１３】
上述したように、中間ブロック１２の下部には、一対の水平ピン１２ａが突設されており、また、上部には、内周面１２ｂ’に凹凸が連続した波状に形成された透孔１２ｂが穿設されている。そして、中間ブロック１２の上部に穿設された透孔１２ｂの中心線と水平ピン１２ａの軸線とは、互いに、直交するように構成されている。また、水平ピン１２ａには、水平スリット１２ｃが形成されている。モップを組み立てた際には、中間ブロック１２に形成された水平ピン１２ａの軸線は、カバー部材１０の長径１０ａと平行であり、カバー部材１０の短径１０ａ’に対して垂直となるように構成されている。なお、１２ｄは、ゴムや軟質合成樹脂で成形された弾性を有するリング状パッキンであり、水平ピン１２ａに嵌着する。
【００１４】
支持台座部材１６は、水平部１６ａと水平部１６ａの両端から上方に延びる垂直部１６ｂとからなる台座部１６’及び台座部１６’の下面の略中央部から垂設された嵌合ブロック１６”とを有している。台座部１６’の垂直部１６ｂの上端面の中央部には、中間ブロック１２の水平ピン１２ａの半分程が挿入される凹部１６ｃが形成されている。また、一方の垂直部１６ｂの外面の上部角部には、下方が開放された凹部を有するフック１６ｄ’が形成されており、この上部角部に対して、反対側に位置する、もう一方の垂直部１６ｂの外面の上部角部にも、下方が開放された凹部を有する同様のフック１６ｄ”が形成されている。
【００１５】
１７’、１７”は、一対のバネ部材としてのコイルスプリングであり、コイルスプリング１７’、１７”は、中間ブロック１２の水平ピン１２ａに遊嵌される、線材が複数回コイル状に巻回された巻回部１７ａと、図３において、水平ピン１２ａに対して近い方に位置するとともに、巻回部１７ａの外周を越えて外側に延びる長い直線状端部１７ｂと、水平ピン１２ａに対して遠い方に位置するとともに、巻回部１７ａの中央の孔に接近して位置する短い端部１７ｃとから構成されている。コイルスプリング１７’、１７”の巻回部１７ａを、中間ブロック１２の水平ピン１２ａに遊嵌した際には、コイルスプリング１７’、１７”の巻回部１７ａと中間ブロック１２の水平ピン１２ａの外周面との間には、所定の間隙が形成されるように構成されている。そして、図３において、中間ブロック１２を挟んで配置された一対のコイルスプリング１７’、１７”の長い直線状端部１７ｂは、互いに、反対方向に延在するように構成されている。また、コイルスプリング１７’、１７”を、長い直線状端部１７ｂ側から見た場合に、巻回部１７ａの線材の巻回方向は、それぞれ、同じ方向に巻回されている。図３及び図４に示されている実施例においては、コイルスプリング１７’、１７”を、長い直線状端部１７ｂ側から見た場合に、巻回部１７ａの線材は、左巻きに巻回されている。なお、コイルスプリング１７’、１７”は、同一構造を有している。
【００１６】
中間ブロック１２と支持台座部材１６を組み立てる場合には、先ず最初に、水平ピン１２ａの根元部が、支持台座部材１６の台座部１６’の垂直部１６ｂに形成された凹部１６ｃに挿入されるように、中間ブロック１２を、支持台座部材１６に載置する。次いで、中間ブロック１２の水平ピン１２ａに、上述したようなコイルスプリング１７’、１７”の巻回部１７ａを、長い直線状端部１７ｂが内側に位置するように、それぞれ遊嵌し、外側に位置する短い端部１７ｃを、水平ピン１２ａの水平スリット１２ｃに挿入する。次いで、コイルスプリング１７’、１７”の長い直線状端部１７ｂを、コイルスプリング１７’、１７”の付勢力に抗して下方に押し下げるようにして、台座部１６’の垂直部１６ｂに形成されたフック１６ｄ’、フック１６ｄ”の凹部に挿入し、係止させる。その後、水平ピン１２ａの先端部に、リング状パッキン１２ｄを、コイルスプリング１７’、１７”に接触するように嵌着して、コイルスプリング１７’、１７”ががたつかないようにする。このようにして組み立てられた状態においては、中間ブロック１２は、支持台座部材１６の台座部１６’の水平部１６ａに対して、垂直に立つように構成されている。
【００１７】
図３及び図４には、左側（手前）に位置するコイルスプリング１７’の長い直線状端部１７ｂは、左方向に延びており、この長い直線状端部１７ｂは、支持台座部材１６の左側に位置する垂直部１６ｂの左側の上部角部に形成されたフック１６ｄ’に係止されており、また、右側（奥側）に位置するコイルスプリング１７”の長い直線状端部１７ｂは、右方向に延びており、この長い直線状端部１７ｂは、支持台座部材１６の右側に位置する垂直部１６ｂの右側の上部角部に形成されたフック１６ｄ”に係止されている。
【００１８】
そして、支持台座部材１６を固定した状態で、図４において、中間ブロック１２を手で持って、左方向に倒した場合には、左側に位置するコイルスプリング１７’は、巻回部１７ａが弛緩し、また、右側に位置するコイルスプリング１７”は、巻回部１７ａが緊張する。そして、中間ブロック１２を持っている手を離した場合には、巻回部１７ａが弛緩した左側に位置するコイルスプリング１７’の巻回部１７ａが元に戻ろうとする付勢力及び巻回部１７ａが緊張した右側に位置するコイルスプリング１７”の元に戻ろうとする付勢力により、中間ブロック１２は、支持台座部材１６の台座部１６’の水平部１６ａに対して垂直な通常の待機位置に復帰するように構成されている。支持台座部材１６を固定した状態で、図４において、中間ブロック１２を手で持って、右方向に倒した場合にも、同様であり、中間ブロック１２を持っている手を離した場合には、コイルスプリング１７’、１７”の元の状態に戻ろうとする付勢力により、中間ブロック１２は、支持台座部材１６の台座部１６’の水平部１６ａに対して垂直な通常の待機位置に復帰することになる。
【００１９】
次に、上述した構成を有するカバー部材１０、固定保持板１３、回動保持板１４、雌型係合部材１５及びコイルスプリング１７’、１７”を介して連結された中間ブロック１２と支持台座部材１６の組み立てについて説明する。
【００２０】
コイルスプリング１７’、１７”を介して支持台座部材１６に連結された中間ブロック１２を、カバー部材１０の裏側から、カバー部材１０の凹部１０ｂを形成する底部１０ｃに穿設された透孔１０ｄに挿入し、中間ブロック１２の水平ピン１２ａの先端部を、垂直壁１０ｅの凹部１０ｆに挿入する。
【００２１】
また、固定保持板１３の凹部１３ａに、回動保持板１４の係合ピン１４ｅを挿入するとともに、カバー部材１０の円筒体１０ｈに、雌型係合部材１５の円柱部１５ａを挿入しておく。次いで、回動保持板１４の係合ピン１４ｅが凹部１３ａに挿入された状態の固定保持板１３を、カバー部材１０の裏面側に対峙させ、適当数のネジ１８を、固定保持板１３に穿設された透孔１３ｃに挿通するとともに、ネジ１８を、カバー部材１０のネジ受け１０ｇのネジ孔に螺合させることにより取り付け、カバー部材１０、固定保持板１３、回動保持板１４、雌型係合部材１５及びコイルスプリング１７’、１７”を介して連結された中間ブロック１２と支持台座部材１６を組み立てる。この際、図６等に示されているように、支持台座部材１６の嵌合ブロック１６”は、固定保持板１３の上面に立設された格子リブ１３ｄにより形成された凹部１３ｅに挿入されるとともに、嵌合ブロック１６”の下面が、凹部１３ｅ内に位置する固定保持板１３の上面に接触するように構成され、支持台座部材１６は固定的に取り付けられている。また、回動保持板１４が水平な状態において、雌型係合部材１５の下方に、回動保持板１４の雄型係合部材１４ｇが位置するとともに、雌型係合部材１５の八の字状に延びる弾性板材１５ｂの先端が、固定保持板１３の上面に接するか、或いは、若干、上方に位置するように構成されている。
【００２２】
その後、上述したように、持ち手１１の下端部に形成され二股部１１ａに穿設された透孔１１ｂ及び二股部１１ａに挿入された中間ブロック１２の上部に穿設された透孔１２ｂに、連結部材１１ｃを構成する鍔付き雌ピン１１ｄを挿入するとともに、鍔付き雌ピン１１ｄの筒部１１ｄ’に、連結部材１１ｃを構成する鍔付き雄ピン１１ｅの二股脚１１ｅ’を挿入することにより、持ち手１１を、中間ブロック１２に対して、回動自在に連結する。棒状の持ち手１１は、カバー部材１０の長径１０ａ方向に、連結部材１１ｃを中心に、略水平状態まで、自由に回動することができるように構成されている。
【００２３】
上述したようにして組み立てられたモップは、固定保持板１３の凹部１３ａに係合ピン１４ｅが挿入された回動保持板１４が、係合ピン１４ｅを中心に、固定保持板１３に対して回動可能に構成されている。そして、回動保持板１４を、略水平状態の上方に回動させることにより、回動保持板１４に形成された雄型係合部材１４ｇの傘状の膨出部１４ｇ’が、カバー部材１０の円筒体１０ｈに挿入された雌型係合部材１５の弾性板材１５ｂに当接し、弾性板材１５ｂを外側に拡張させるとともに、雄型係合部材１４ｇの膨出部１４ｇ’が、弾性板材１５ｂの係合突起１５ｃを越えて上昇し、その後、弾性板材１５ｂの弾性により、弾性板材１５ｂが内側に戻ることにより、図７に示されているように、弾性板材１５ｂの係合突起１５ｃにより係止される。
【００２４】
上述した雄型係合部材１４ｇの膨出部１４ｇ’が、弾性板材１５ｂの係合突起１５ｃにより係止されて、回動保持板１４が固定保持板１３に係止された状態から、カバー部材１０に穿設された透孔１０ｉに指を入れて、雌型係合部材１５を下方に押すと、その先端が、固定保持板１３の上面に当接し、雌型係合部材１５の八の字状の弾性板材１５ｂの先端が、固定保持板１３の上面に沿って、外側に拡張し、雄型係合部材１４ｇの膨出部１４ｇ’に係合している弾性板材１５ｂの係合突起１５ｃが、図８に示されているように、雄型係合部材１４ｇの膨出部１４ｇ’から外れて、回動保持板１４が、略水平状態から下方に回動するように構成されている。
【００２５】
次に、雑巾Ｗの取り付けについて説明する。図９に示されているように、回動保持板１４を、固定保持板１３に対して回動させた状態で、カバー部材１０と固定保持板１３との隙間に、雑巾Ｗの一方の上部布２を挿入し、固定保持板１３を袋部３に挿入する。次いで、下方に回動した回動保持板１４を、雑巾Ｗのもう一方の袋部３に挿入する。その後、回動保持板１４を、カバー部材１０方向に回動させるとともに、上述したように、回動保持板１４に形成された雄型係合部材１４ｇの傘状の膨出部１４ｇ’を、カバー部材１０の円筒体１０ｈに挿入された雌型係合部材１５の弾性板材１５ｂの係合突起１５ｃに係止させて、回動保持板１４を、雌型係合部材１５を介して、カバー部材１０に取り付ける。なお、雑巾Ｗの取り外しは、上述したように、カバー部材１０に穿設された透孔１０ｉに指を入れて、雌型係合部材１５を下方に押すことにより、雌型係合部材１５と回動保持板１４に形成された雄型係合部材１４ｇとの係合を解いて、回動保持板１４を下方に回動させ、回動保持板１４から雑巾Ｗの一方の袋部３を外し、その後、固定保持板１３から雑巾Ｗのもう一方の袋部３を外す。なお、１０ｊは、カバー部材１０の長径１０ａ方向の両端部付近の裏面に突設された半円形状突出板であり、カバー部材１０と固定保持板１３との隙間及びカバー部材１０と回動保持板１４との間隙に挿入された雑巾Ｗの上部布２を、半円形状突出板１０ｊにより、固定保持板１３方向及び回動保持板１４方向に押圧することにより、カバー部材１０、固定保持板１３及び回動保持板１４に対して、雑巾Ｗが移動しないように構成されている。上記のように、カバー部材１０とカバー部材１０に固定的に取着される固定保持板１３と固定保持板１３に対して回動自在な回動保持板１４とにより、雑巾Ｗが取り付けられる雑巾取り付け部材Ｍが構成される。
【００２６】
上述したカバー部材１０、中間ブロック１２、固定保持板１３、回動保持板１４、雌型係合部材１５、支持台座部材１６は、それぞれ、合成樹脂で一体に成形され、これらを、ネジ１８とコイルスプリング１７’、１７”のみを使用するだけで組み立てることができるので、部品数が少なく、従って、安価で、故障しにくいモップが実現できる。
【００２７】
モップを組み立てた際には、上述したように、嵌合ブロック１６”が、固定保持板１３の上面に形成された凹部１３ｅに挿入されるとともに、嵌合ブロック１６”の下面が、凹部１３ｅ内に位置する固定保持板１３の上面に接触されるので、支持台座部材１６は固定状態となる。このような固定状態の支持台座部材１６に、コイルスプリング１７’、１７”を介して、中間ブロック１２が取り付けられ、この中間ブロック１２に、連結部材１１ｃを介して、棒状の持ち手１１が配設されている。そして、中間ブロック１２に形成された水平ピン１２ａの軸線は、カバー部材１０の長径１０ａと平行であり、カバー部材１０の短径１０ａ’に対して垂直になるように構成されているとともに、中間ブロック１２の上部に穿設された透孔１２ｂの中心線は、カバー部材１０の短径１０ａ’と平行であり、カバー部材１０の長径１０ａに対して垂直になるように構成されている。
【００２８】
従って、棒状の持ち手１１は、カバー部材１０の長径１０ａ方向に、連結部材１１ｃを中心に回動自在であり、棒状の持ち手１１は、図９に２点鎖線で示されているように、略水平状態まで回動することができるように構成されている。上述したように、持ち手１１の下端部に形成され二股部１１ａに穿設された透孔１１ｂ及び二股部１１ａに挿入された中間ブロック１２の上部に穿設された透孔１２ｂに、連結部材１１ｃを構成する鍔付き雌ピン１１ｄを挿入するとともに、鍔付き雌ピン１１ｄの筒部１１ｄ’に、連結部材１１ｃを構成する鍔付き雄ピン１１ｅの二股脚１１ｅ’を挿入することにより、持ち手１１は、連結部材１１ｃを介して、中間ブロック１２に連結されており、持ち手１１を離した場合には、持ち手１１の自重により、簡単に、倒れるように構成されている。
【００２９】
また、固定状態の支持台座部材１６に、バネ部材としてのコイルスプリング１７’、１７”を介して、中間ブロック１２が取り付けられ、この中間ブロック１２に、連結部材１１ｃを介して、棒状の持ち手１１が配設されているので、カバー部材１０、固定保持板１３及び回動保持板１４に取り付けられた雑巾Ｗは、カバー部材１０の短径１０ａ’方向に対しては、自由には回動しない。そして、雑巾Ｗの裏面が、床等に接触して状態を維持したまま、コイルスプリング１７’、１７”の付勢力に抗して、棒状の持ち手１１を、カバー部材１０の短径１０ａ’方向に倒しても、棒状の持ち手１１を持ち上げて、雑巾Ｗを床等から離せば、コイルスプリング１７’、１７”の付勢力により、カバー部材１０は、その短径１０ａ’が、棒状の持ち手１１に対して垂直な待機状態に戻る。モップを、箒替わりに使用する場合には、掃く方向、即ち、雑巾Ｗの往復運動方向は、カバー部材１０の長径１０ａに対して、垂直方向である。このような方向に、モップを往復運動させることにより、雑巾Ｗの幅の広い方を使用できるので、モップを使用しての効率的な掃き掃除を行うことができる。このような方向に、雑巾Ｗの往復運動させた際には、雑巾Ｗは、コイルスプリング１７’、１７”の付勢力により、カバー部材１０の短径方向には、ふらつかないので、しっかりと、床や畳等を掃除することができる。
【００３０】
【発明の効果】
本発明は、以上説明した構成を有しているので、以下に記載する効果を奏するものである。
【００３１】
雑巾を往復運動させた際に、雑巾は、バネ部材の付勢力により、カバー部材の短径方向には、ふらつかないので、しっかりと、床や畳等を掃除することができる。
【図面の簡単な説明】
【図１】図１は本発明のモップの主要部の分解斜視図である。
【図２】図２は本発明のモップの固定保持板の裏面から見た斜視図である。
【図３】図３は本発明のモップを構成する中間ブロックや支持台座部材等の分解斜視図である。
【図４】図４は本発明を構成する中間ブロックや支持台座部材等の組み立て斜視図である。
【図５】図５は本発明のモップの固定保持板の長径に沿った垂直断面図である。
【図６】図６は本発明のモップの固定保持板の長径に直交する垂直断面図である。
【図７】図７は同じく本発明のモップの固定保持板の長径に直交する垂直断面図である。
【図８】図８は図７と同様の本発明のモップの垂直断面図である。
【図９】図９は雑巾を取り付ける状態を説明するための本発明のモップの斜視図である。
【図１０】図１０は雑巾の斜視図である。
【図１１】図１１は雑巾が取り付けられた状態の従来のモップの斜視図である。
【符号の説明】
Ｍ・・・・・・・・雑巾取り付け部材
Ｗ・・・・・・・・雑巾
１０・・・・・・・カバー部材
１１・・・・・・・持ち手
１２・・・・・・・中間ブロック
１３・・・・・・・固定保持板
１４・・・・・・・回動保持板
１４ｇ・・・・・・雄型係合部材
１５・・・・・・・雌型係合部材
１６・・・・・・・支持台座部材
【図１】
0004030681.tif 000002
【図２】
0004030681.tif 000003
【図３】
0004030681.tif 000004
【図４】
0004030681.tif 000005
【図５】
0004030681.tif 000006
【図６】
0004030681.tif 000007
【図７】
0004030681.tif 000008
【図８】
0004030681.tif 000009
【図９】
0004030681.tif 000010
【図１０】
0004030681.tif 000011
【図１１】
0004030681.tif 000012